(57)【特許請求の範囲】
【請求項１】
開閉自在とされる荷室ドアにより閉空間を構成する荷物室に床面が設けられており、
前記床面が摩擦係数の大きい滑り難い第１部位と、これよりも摩擦係数の小さい滑り易い第２部位とで構成され、
前記荷室ドアの開閉動作に連動して、前記第１部位と前記第２部位の相対的な高さを変える高さ可変手段を備えた荷物室の床面構造であって、
前記第１部位は、車両前後方向に沿って長尺状に延在し、
前記高さ可変手段は、前記床面に車両前後方向に延在して設けられたロッドに前記第１部位または前記第２部位の何れかを接続し、該ロッドの押し又は引き戻し操作によって前記第１部位または前記第２部位の何れかが上昇又は下降して、前記床面の各部位の相対的な高さを切り替えるようにされ、また前記ロッドは、前記荷室ドアが閉まる際に該荷室ドアの一部で押され、該荷室ドアが開く際に弾性手段で押されて引き戻されるように構成されており、さらに前記荷室ドアは、所定の位置まで閉まるとオートクロージャーにより自動的に引き込まれ、前記ロッドは、前記オートクロージャーが作動する範囲にその先端部を突出させている
ことを特徴とする荷物室の床面構造。
【請求項２】
請求項１に記載の荷物室の床面構造であって、
前記第１部位または前記第２部位の何れかは、前記ロッドが押されることで偏芯カムを回転させ、その偏芯カムによって上昇又は下降する
ことを特徴とする荷物室の床面構造。
【請求項３】
請求項１に記載の荷物室の床面構造であって、
前記第１部位又は前記第２部位の何れかは、前記ロッドが押し引き戻し操作されることで各部位と該ロッドの対向面に形成された傾斜面によって上昇又は下降する
ことを特徴とする荷物室の床面構造。
【請求項４】
請求項１から請求項３の何れか１項に記載の荷物室の床面構造であって、
前記第１部位と前記第２部位は、前記荷室ドアと略垂直方向に配置されている
ことを特徴とする荷物室の床面構造。
【請求項５】
請求項１から請求項４の何れか１項に記載の荷物室の床面構造であって、
前記荷物室の床面構造は、車両に適用される
ことを特徴とする荷物室の床面構造。
【発明の詳細な説明】
【技術分野】
【０００１】
本発明は、荷物室の床面構造に関し、荷物の滑り止め構造に関する。
【背景技術】
【０００２】
例えば、自動車等の荷物室に収容した荷物が車両の走行により滑らないようにするための技術が開示されている（例えば、特許文献１等に記載）。
【０００３】
特許文献１に記載の技術は、荷物室の床に複数個の仕切り板を設け、その仕切り板を出没自在にすることで、荷物室に積み込んだ荷物の滑り止めを行っている。
【特許文献１】特許第３２４２３７０号公報
【発明の開示】
【発明が解決しようとする課題】
【０００４】
しかし、複数個の仕切り板で仕切られた領域に荷物を積み込んだ場合、サイズの小さな荷物は、その仕切り板で仕切られた領域内で滑りが生じ、安定載置させることができない。一方、サイズの大きな荷物の場合は、仕切り板を乗り越える等により、やはり荷物を安定載置させることは難しい。
【０００５】
そこで、本発明は、荷物室への荷物の出し入れ作業が容易に行えると共に、一旦荷物室内に積んだ荷物はずれることなく安定して載置させることのできる荷物室の床面構造を提供することを目的とする。
【課題を解決するための手段】
【０００６】
本発明の荷物室の床面構造は、開閉自在とされる荷室ドアにより閉空間を構成する荷物室に床面が設けられており、床面が摩擦係数の大きい滑り難い第１部位と、これよりも摩擦係数の小さい滑り易い第２部位とで構成され、前記荷室ドアの開閉動作に連動して、前記第１部位と前記第２部位の相対的な高さを変える高さ可変手段を備え、前記第１部位は、車両前後方向に沿って長尺状に延在し、前記高さ可変手段は、前記床面に車両前後方向に延在して設けられたロッドに前記第１部位または前記第２部位の何れかを接続し、該ロッドの押し又は引き戻し操作によって前記第１部位または前記第２部位の何れかが上昇又は下降して、前記床面の各部位の相対的な高さを切り替えるようにされ、また前記ロッドは、前記荷室ドアが閉まる際に該荷室ドアの一部で押され、該荷室ドアが開く際に弾性手段で押されて引き戻されるように構成されており、さらに前記荷室ドアは、所定の位置まで閉まるとオートクロージャーにより自動的に引き込まれ、前記ロッドは、前記オートクロージャーが作動する範囲にその先端部を突出させている。
【発明の効果】
【０００７】
本発明の荷物室の床面構造によれば、荷物を積み込むときには、摩擦係数の小さい滑り易い部位の方を摩擦係数の大きい部位よりも高くすることで、小さな摩擦係数により荷物を載せ易くできる。そして、荷物を載せ終えたら摩擦係数の高い部位を摩擦係数の小さい部位よりも高くすることで、大きな摩擦係数によって荷物が滑り難くなり、当該荷物を安定載置させることができる。
また、本発明によれば、ロッドは、荷室ドアが閉まる際に該荷室ドアの一部で押され、荷室ドアが開く際に弾性手段で押されて引き戻されるので、荷室ドアの開閉動作にロッドが連動して動き、特段の操作をすることなく床面の各部位の相対的な高さを切り替えることができる。
また、本発明によれば、荷室ドアをオートクロージャーで作動させ、そのオートクロージャーが作動する範囲にロッドの先端部を突出させたので、重い荷物を積んだときでも、オートクロージャーでロッドを作動させることができ、特別力を入れて荷室ドアを閉める必要が無い。また、荷物の重さによっては、オートクロージャーの力のみで荷室ドアを閉めることができる。
【発明を実施するための最良の形態】
【０００８】
以下、本発明を適用した具体的な実施形態について図面を参照しながら詳細に説明する。
【０００９】
「実施形態１」
図１は実施形態１の荷物室の床面を車両後方から車両前方に向かって見たときの斜視図、図２は図１のＡ−Ａ線位置における拡大断面図、図３は図１の床面の要部拡大断面図、図４は実施形態１の高さ可変手段の概略構造図であり、（Ａ）は第２部位を第１部位よりも高くした状態を示し、（Ｂ）は第１部位を第２部位よりも高くした状態を示し、図５は荷室ドアが閉まる際に荷室ドアの一部でロッドを押して第１部位と第２部位の相対的な高さを切り替えるようにした図である。
【００１０】
荷物室の床面構造は、図１から図５に示すように、車両後部の荷物室１に設けられたラゲッジボード２の床面２ａが、摩擦係数の大きい滑り難い第１部位と、これよりも摩擦係数の小さい滑り易い第２部位とで構成され、第１部位と第２部位の相対的な高さを変える高さ可変手段を備えている。
【００１１】
ラゲッジボード２の上には、摩擦係数の小さい滑り易い第２部位となるシート部材３が敷設されている。シート部材３は、例えば樹脂製からなり、荷物室１に荷物を積み込む際に該荷物を押したときにスムーズ（大きな負荷が掛からずに）に積み込める程度の摩擦係数とされる
ラゲッジボード２には、車両後方ＲＲから車両前方ＦＲに向かって細長い平面視矩形状のスリット溝４が複数形成されている。スリット溝４は、前記したシート部材３にも形成されている。かかるスリット溝４には、シート部材３よりも摩擦係数の大きい滑り難い第１部位となる滑り止め部材５が設けられている。滑り止め部材５は、例えばゴム等からなる長尺板として形成され、シート部材３よりもその摩擦係数が大とされている。この滑り止め部材５は、その上に置かれた荷物が車両走行時のブレーキング時や旋回時などにおいて滑らないようにする。そして、この滑り止め部材５は、その下に補強プレート６が接合されており、この補強プレート６により強度が高められている。
【００１２】
前記滑り止め部材５の周囲には、スリット溝４内にゴミ等の侵入を防止するためのゴミ侵入防止部材７を設けている。ゴミ侵入防止部材７は、後述する高さ可変手段による滑り止め部材５の昇降動を妨げないよう伸縮性のある部材で形成され、滑り止め部材５とスリット溝４の開口周縁部に対して密着して設けられている。
【００１３】
なお、第１部位と第２部位は、何れも荷室ドア１３に対して略垂直方向（車両前後方向）に設けられている。
【００１４】
高さ可変手段は、床面２ａに設けられたロッド８に滑り止め部材５を接続し、そのロッド８の押し又は引き戻し操作によってこの滑り止め部材（第１部位）５をシート部材（第２部位）３に対して上昇又は下降させて、床面２ａの各部位の相対的な高さを切り替えるように構成されている。具体的には、高さ可変手段は、滑り止め部材５の下に設けられたロッド８と、このロッド８が押し又は引き戻し操作されることで滑り止め部材５を昇降動させる偏芯カム９と、押し込まれたロッド８の引き戻し及び上昇した滑り止め部材５の引き戻しを行うバネ機構と、から構成されている。
【００１５】
ロッド８は、例えば細長い丸棒からなり、各滑り止め部材５の下に配置されている。そして、ロッド８は、図示を省略するガイド部材に支持されることよって車両前後方向にスライド自在とされている。
【００１６】
偏芯カム９は、ロッド８に設けられた丸ピンからなるカム係合可動部材１０に係合された楕円形状をなすリング体として形成されている。この偏芯カム９は、前記カム係合可動部材１０を挿通させる開口孔の内周面に形成される内側カム面１０ａと、滑り止め部材５に接合された補強プレート６とラゲッジボード２の底面２ｂに接触して転動する外側カム面１０ｂと、を有している。偏芯カム９は、滑り止め部材５を接合した補強プレート６と対応して数ヶ所に設けられている。
【００１７】
かかる偏芯カム９は、ロッド８が車両前方ＦＲに押し込まれると、このロッド８に設けられたカム係合可動部材１０によって回転し、補強プレート６及び滑り止め部材５を上昇させる。また、偏芯カム９は、ロッド８が車両後方ＲＲに引き戻されると、このロッド８に設けられたカム係合可動部材１０によって回転し、上昇位置にあった補強プレート６及び滑り止め部材５を下降させる。
【００１８】
バネ機構は、車両前方ＦＲに押し込まれたロッド８の車両後方ＲＲへの引き戻しと、上昇した滑り止め部材５の引き戻しとを行う弾性手段である滑り止め部材引き戻しバネ１１と、ロッド引き戻しバネ１２とからなる。滑り止め部材引き戻しバネ１１は、一端を補強プレート６に固定し、他端をラゲッジボード２の底面２ｂに固定させることにより、常時滑り止め部材５を下方へ付勢させている。ロッド引き戻しバネ１２は、一端を車両前方ＦＲのラゲッジボード２の前面２ｃに固定し、他端をロッド先端８ａに固定させることにより、常時ロッド８を車両後方ＲＲへ引き戻す方向へ付勢させている。
【００１９】
本実施形態の弾性手段には、前記した滑り止め部材引き戻しバネ１１及びロッド引き戻しバネ１２のようにバネだけに限らず、ゴム、スポンジなどのような部材自体が弾性変形するものや、油圧バネのように複数の部材を組み合わせて弾性力を発生するものも使用できる。
【００２０】
次に、上述のように構成された荷物室の床面構造の動作について説明する。バックドアである荷室ドア１３が開いた状態（荷物を積み込むことができる状態）では、図４（Ａ）及び図５（Ａ）に示すように、ロッド８がロッド引き戻しバネ１２に付勢されて引き戻し位置とされ、滑り止め部材５が床面２ａよりも低い位置にある。この引き戻し位置にあるロッド８の端部であるロッド基端８ｂは、荷室ドア１３を自動的に引き込む装置であるオートクロージャーの作動範囲内に設けられている。
【００２１】
このように荷室ドア１３が開いた状態では、滑り止め部材５が床面２ａより低い位置に下降された状態にあるので、床面２ａは摩擦係数の小さい滑り易い第２部位であるシート部材３のみとされている。そのため、荷物を滑らせて荷物室１に積み込みことができ、積み込み時の負荷を軽減することができる。
【００２２】
そして、荷物の積み込みが終了したら荷室ドア１３を閉める。荷室ドア１３を手で押して閉めると、ある閉じ位置でオートクロージャーが作動して自動的に荷室ドア１３が閉まり始める。荷室ドア１３の閉じ過程で、該荷室ドア１３の内面１３ａに設けられたロッド押し部材１４がロッド基端８ｂに当接すると、この荷室ドア１３に押されて前記ロッド８が車両前方ＦＲへ押し込まれて行く。
【００２３】
ロッド８が車両前方ＦＲへ押し込まれて行くと、このロッド８に設けられたカム係合可動部材１０により偏芯カム９が回転し、その偏芯カム９に補強プレート６が押し上げられることにより滑り止め部材５が上昇する。上昇した滑り止め部材５は、図４（Ｂ）及び図５（Ｂ）に示すように、床面２ａよりも高い位置に持ち上げられ、その上に置かれた荷物に密着する。荷物は、摩擦係数の小さい滑り易い第２部位であるシート部材３よりも高い位置に持ち上げられた摩擦係数の高い第１部位である滑り止め部材５によって滑りが防止される。
【００２４】
このように、本実施形態の荷物室の床面構造では、荷物を積み込むときには床面２ａが滑り易いため荷物の積み込み作業が容易に行え、荷物を積み込んで荷室ドア１３を閉じたときには荷物の滑りが抑制され、車両のブレーキング時や旋回時に荷物の移動が阻止される。
【００２５】
一方、閉じた状態にある荷室ドア１３を開くと、ロッド８は、ロッド引き戻しバネ１２に付勢されて車両後方ＲＲへと引き戻されて行く。ロッド８が車両後方ＲＲへ引き戻されて行くと、このロッド８に設けられたカム係合可動部材１０により偏芯カム９が回転し、補強プレート６が滑り止め部材引き戻しバネ１１によって下方へ引っ張られることにより滑り止め部材５が下降する。最終的にロッド８が引き戻し位置まで引き戻されると、下降した滑り止め部材５は、床面２ａよりも低い位置に保持される。そのため、荷物を荷物室１から滑らせて容易に取り出せる。
【００２６】
以上のように本実施形態によれば、荷物室１の床面２ａが摩擦係数の大きい滑り難い第１部位と、これよりも摩擦係数の小さい滑り易い第２部位とで構成し、その第１部位と第２部位の相対的な高さを変える高さ可変手段を備えているので、荷物出し入れ時は滑り易い方の部位を高くすることで荷物が載せ易くなり、荷物を固定したい時には滑り難い部位を高くすることで荷物が滑り難くなる。
【００２７】
また、本実施形態によれば、床面２ａに設けられたロッド８に第１部位または第２部位の何れかを接続し、ロッド８の押し又は引き戻し操作によって第１部位または第２部位の何れかが上昇又は下降して床面２ａの各部位の相対的な高さを切り替えるように構成したので、ロッド８の押し操作と引き操作の簡単な操作で、荷物積み込み時及び取り出し時には滑り易い部位を高くして荷物を載せ取り出し易くでき、荷物固定時には滑り難い部位を高くして荷物の移動を防止することができる。
【００２８】
また、本実施形態によれば、ロッド８が押されることで偏芯カム９を回転させ、その偏芯カム９で第１部位または第２部位を上昇又は下降させるようにしているので、カム機構という単純な機構によって高さ可変手段を構成することができる。
【００２９】
また、本実施形態によれば、ロッド８は、荷室ドア１３が閉まる際に該荷室ドア１３の一部で押され、荷室ドア１３が開く際に弾性手段で押されて引き戻されるので、荷室ドア１３の開閉動作にロッド８が連動して動き、特段の操作をすることなく床面２ａの各部位の相対的な高さを切り替えることができる。
【００３０】
また、本実施形態によれば、荷室ドア１３をオートクロージャーで作動させ、そのオートクロージャーが作動する範囲にロッド８の先端部を突出させたので、重い荷物を積んだときでも、オートクロージャーでロッド８を作動させることができ、特別力を入れて荷室ドア１３を閉める必要が無い。また、荷物の重さによっては、オートクロージャーの力のみで荷室ドア１３を閉めることができる。
【００３１】
また、本実施形態によれば、荷物室１の床面２ａが摩擦係数の大きい滑り難い第１部位と、これよりも摩擦係数の小さい滑り易い第２部位とで構成し、その第１部位と第２部位を、荷室ドア１３と略垂直方向（車両前後方向）に配置しているので、荷物が車両前後方向に移動するのを防止することができる。
【００３２】
以上、実施形態１では、摩擦係数の大きい滑り難い第１部位である滑り止め部材５を、これよりも摩擦係数の小さい滑り易い第２部位であるシート部材３に対して昇降動させることにより、これら滑り止め部材５とシート部材３の相対的な高さを変えたが、本発明では昇降動させる対象を逆にしてもよい。
【００３３】
また、実施形態１では、ロッド８の押し又は引き戻し操作を荷室ドア１３の開閉動作に連動させたが、荷物を積む人が手動でロッド８を押し又は引き戻すようにしてもよい。
【００３５】
「実施形態２」
図６は実施形態２の高さ可変手段の概略構造図であり、（Ａ）は操作レバーによって第２部位を第１部位よりも高くした状態を示し、（Ｂ）は操作レバーによって第１部位を第２部位よりも高くした状態を示し、図７は複数のロッドを一つの操作レバーで動かすようにした実施形態２の高さ可変手段の概略構成図であり、（Ａ）はその断面図、（Ｂ）は操作レバーとロッドの結合機構部を示す要部拡大斜視図である。
【００３６】
実施形態２では、図６に示すように、ロッド８を押し又は引き戻す操作レバー１５を設けている。操作レバー１５は、一端部をラゲッジボード２の底面２ｂに設けた支持軸１６に回動自在に取り付けられ、他端部を床面２ａから突出させている。一方、ロッド８には、操作レバー１５を回動操作したときにこの操作レバー１５と接触するピン１７が設けられている。
【００３７】
滑り止め部材５が下降位置にある図６（Ａ）の状態から操作レバー１５を矢印Ａで示す方向に操作すると、ロッド８に設けたピン１７が操作レバー１５からの操作力を受けて前記ロッド８が車両前方ＦＲに移動する。そして、ロッド８が押されることで偏芯カム９が回転して補強プレート６を押し上げ、滑り止め部材５を上昇させる。一方、滑り止め部材５が上昇位置にある図６（Ｂ）の状態から操作レバー１５を矢印Ｂで示す方向に操作すると、ロッド引き戻しバネ１２に付勢されてロッド８が車両後方ＦＲへと引き戻されると共に偏芯カム９が回転し、補強プレート６が滑り止め部材引き戻しバネ１１に引っ張られることにより滑り止め部材５が下降する。
【００３８】
このように実施形態２によれば、ロッド８を押し又は引き戻す操作レバー１５を設けたので、レバー操作一つで簡単に床面２ａを滑り易く又は滑り難くすることができ、その切り替えを容易なものとすることができる。
【００３９】
図６の例では、各ロッド８に操作レバー１５をそれぞれ設けたが、図７に示すように、複数のロッド８を一つの操作レバー１５で一度に操作可能とするよう構成してもよい。具体的には、ロッド８の端部に従動側のウォームギア１８を形成し、そのウォームギア１８に噛み合う駆動側のウォームギア１９を設け、該駆動側のウォームギア１９の端部に形成したベルト駆動用歯車２０に掛けられるベルト２１に、前記操作レバー１５を取り付けている。
【００４０】
前記操作レバー１５を矢印Ｃで示す方向に動かすと、この操作レバー１５に一体化されたベルト２１が回転し、該ベルト２１によりベルト駆動用歯車２０が回転させられることで駆動側のウォームギア１９から従動側のウォームギア１８にベルト２１の回転力が伝達されてロッド８が車両前方ＦＲ又は車両後方ＲＲに移動する。この例の機構では、操作レバー１５の操作量は大きくなるが、滑り止め部材５を昇降動させる操作力が軽くなるという利点が得られる。
【００４１】
「実施形態３」
図８は実施形態３の高さ可変手段の概略構造図であり、（Ａ）は第２部位を第１部位よりも高くした状態を示し、（Ｂ）は第１部位を第２部位よりも高くした状態を示す。
【００４２】
実施形態３では、図８に示すように、ロッド８に鋸歯形状からなる鋸歯部２２を形成すると共に補強プレート６にも同様の鋸歯形状からなる鋸歯部２３を形成し、それらの鋸歯部２２、２３の傾斜面２２ａ、２３ａ同士をスライドさせることによって滑り止め部材５を昇降動させる。
【００４３】
滑り止め部材５が下降位置にある図８（Ａ）の状態から荷室ドア１３を閉じると、ロッド押し部材１４にロッド基端８ｂが当接し、この荷室ドア１３に押されて前記ロッド８が車両前方ＦＲへ押し込まれて行く。すると、ロッド８と補強プレート６の対向面にそれぞれ形成された鋸歯部２２、２３の傾斜面２２ａ、２３ａ同士の摺接により補強プレート６が持ち上げられて滑り止め部材５が上昇する。
【００４４】
この実施形態３によれば、ロッド８と補強プレート６の対向面にそれぞれ形成した鋸歯部２２、２３の傾斜面２２ａ、２３ａ同士の摺接により滑り止め部材５を昇降動させることができるので、偏芯カム９を使用したカム機構からなる高さ可変手段に比べて機構コストを安くすることができる。
【００４５】
「実施形態４」
図９は実施形態４の高さ可変手段の概略構造図である。実施形態４では、第１部位と第２部位の相対的な高さを変える高さ可変手段を、空気圧によって体積が増減する体積増減部材からなる第１部位に空気を送る空気供給手段で、床面に形成した溝内に配置した体積増減部材に空気を送り込んで体積変化させることにより、前記溝から体積増減部材を突出させ又は溝内に没すように構成している。
【００４６】
具体的には、ゴムチューブのようなものを体積増減部材とし、この体積増減部材を滑り止め部材５としている。ゴムチューブには、シート部材３よりも摩擦係数が高いものを使用し、且つ荷物との摺接及び荷物の加重に対して破損し難いものを使用する。ゴムチューブからなる滑り止め部材５は、スリット溝４内に収容され、空気供給手段であるエア供給部２４に接続されるエア供給ライン２５に接続されており、このエア供給部２４から送り込まれる空気によってその体積を増減し、前記スリット溝４内から出没する。
【００４７】
荷物室１に荷物を積み込む時には、エア供給部２４からの空気供給が行われず、ゴムチューブからなる滑り止め部材５はその体積が小さくされた状態とされ、スリット溝４内に没した状態とされる。荷物室１に荷物を積み込み終えた後は、エア供給部２４からエア供給ライン２５を通して空気がゴムチューブに供給されることでその体積が増加し、滑り止め部材５が床面２ａより高くなる。
【００４８】
エア供給ライン２５には、所定の圧力以上になった場合には大気に空気を排出し、所定の圧力以下になった場合には大気から空気を取りこむ機能を持つリリースバルブである圧力調整バルブ２６が設けられている。圧力調整バルブ２６をエア供給ライン２５に設けることで、エア供給部２４から滑り止め部材５までの圧力変化を所定の圧力の範囲に設定することができるようになる。これによって、荷物室１全面に荷物を置いたような場合や、温度の変化によって空気の体積変化が著しい場合等でも、ゴムチューブが破損したり、エア供給部２４の操作力が所定の値以上になってしまうことを防止できる。
【００４９】
実施形態４では、エア供給部２４から空気が供給されず所定の圧力以下の状態では、ゴムチューブの体積が減少し、滑り止め部材５が床面２ａよりも低くなる。一方、エア供給部２４から空気が供給されると、圧力が上昇しゴムチューブの体積が大きくなり、滑り止め部材５が床面２ａよりも高くなる構成となっている。
【００５０】
これにより、荷物室１への荷物の積み降ろし時は、ゴムチューブの空気圧力を低下させて滑り止め部材５を床面２ａよりも低くし、摩擦係数の低いシート部材３上を荷物を滑らせることにより、荷物の出し入れを容易なものとできる。一方、走行時は、ゴムチューブの空気の圧力を高めることによって滑り止め部材５がスリット溝４から突出し、荷物に密着することによってすべりを抑制できる。さらに、滑り止め部材５がゴムチューブからなるので、荷物の搭載されていない部位は、さらに体積が増加する為、荷物を下からだけでなく、横からも抑えられるという効果が得られる。
【００５１】
「実施形態５」
図１０は実施形態４の高さ可変手段を実際に自動車に車載したときの構造図、図１１は図１０の断面を示し、（Ａ）は第２部位を第１部位よりも高くした状態を示し、（Ｂ）は第１部位を第２部位よりも高くした状態を示す。
【００５２】
実施形態５は、実施形態４で示した高さ可変手段を実際に自動車に車載した例である。エア供給部２４は、バックドアである荷室ドア１３とボディ２７のドアヒンジ近傍に設けられる。エア供給ライン２５は、荷物室１に設けられたラゲッジボード２に形成されたスリット溝４内に配置されたゴムチューブからなる滑り止め部材５のそれぞれと接続されるように、前記ボディ２７の背面縁部に沿って配索されている。
【００５３】
この実施形態５では、エア供給部２４には蛇腹形状をなす強度的に丈夫な袋として形成されたポンプを使用し、荷室ドア１３を開くことで蛇腹部が開いてその容積を大きくし、荷室ドア１３を閉めることでそのボディ２７との間で押し潰されてその容積を小さくすることにより空気を吸排する構成としている。また、実施形態５では、エア供給ライン２５には、弾力性のあるチューブが使用される。
【００５４】
このように構成された実施形態５では、図１１（Ａ）に示すように荷室ドア１３が開いたドア開時には、ポンプとして機能するエア供給部２４の容積が大きくなり、ゴムチューブからなる滑り止め部材５の内部圧力が低下し、滑り止め部材５の体積が小さくなって床面２ａよりも低い位置とされる。一方、荷室ドア１３を閉めた場合には、荷室ドア１３とボディ２７との間でエア供給部２４が潰されて圧縮され、空気がエア供給ライン２５から各ゴムチューブに供給されることにより圧力上昇し、滑り止め部材５の体積が大きくなって床面２ａから突出し高くなる。
【００５５】
実施形態５によれば、荷室ドア１３の開閉動作に連動して空気を排出又は吸引して蛇腹形状とした体積増減部材を増減させることで滑り止め部材５をスリット溝４から突出又は没するようにしたので、特段の操作を必要とすることなく、ドア開時は荷物を滑らせて荷物室１に積み込むことができ、ドア閉時には荷物のすべりを抑制させることができる。
【００５６】
「実施形態６」
図１２はエア供給部をドア開口下部に設けた例を示す図、図１３は図１２のエア供給部の断面を示し、（Ａ）はエア供給部の蛇腹部が開いた状態のとき、（Ｂ）はエア供給部の蛇腹部が閉じた状態を示す。
【００５７】
実施形態６では、実施形態５の蛇腹形状としたポンプとして機能するエア供給部２４をドア開口下部に設け、さらに、このエア供給部２４を、ドア開時はバネ機構２８によって蛇腹部が開いて空気を吸引し、ドア閉時は荷室ドア１３とボディ２７の間で圧縮されて空気を排出するように構成している。
【００５８】
この実施形態６では、荷室ドア１３が開いた状態のときには、バネ機構２８によってエア供給部２４の蛇腹部が開いてその容積が増大し空気を吸引するため、ゴムチューブの内圧力が低下して滑り止め部材５が床面２ａよりも低い位置とされる。一方、荷室ドア１３が閉じると、荷室ドア１３とボディ２７の間で蛇腹部が圧縮されてその容積が減少し空気が排出されるため、ゴムチューブの内圧力が高まって滑り止め部材５が床面２ａよりも高い位置とされる。
【００５９】
実施形態６によれば、実施形態５と同様、荷室ドア１３の開閉動作に連動して空気を排出又は吸引して蛇腹形状とした体積増減部材を増減させることで滑り止め部材５をスリット溝４から突出又は没するようにしたので、特段の操作を必要とすることなく、ドア開時は荷物を滑らせて荷物室１に積み込むことができ、ドア閉時には荷物のすべりを抑制させることができる。特に、この実施形態６では、エア供給部２４にバネ機構２８を設けたので、ドア開時に迅速にゴムチューブ内の圧力を低下させることができ、荷物の出し入れ作業を素早く行うことができる。
【図面の簡単な説明】
【００６０】
【図１】図１は実施形態１の荷物室の床面を車両後方から車両前方に向かって見たときの斜視図である。
【図２】図２は図１のＡ−Ａ線位置における拡大断面図である。
【図３】図３は図１の床面の要部拡大断面図である。
【図４】図４は実施形態１の高さ可変手段の概略構造図であり、（Ａ）は第２部位を第１部位よりも高くした状態を示し、（Ｂ）は第１部位を第２部位よりも高くした状態を示す。
【図５】図５は荷室ドアが閉まる際に荷室ドアの一部でロッドを押して第１部位と第２部位の相対的な高さを切り替えるようにした図である。
【図６】図６は実施形態２の高さ可変手段の概略構造図であり、（Ａ）は操作レバーによって第２部位を第１部位よりも高くした状態を示し、（Ｂ）は操作レバーによって第１部位を第２部位よりも高くした状態を示す。
【図７】図７は複数のロッドを一つの操作レバーで動かすようにした実施形態２の高さ可変手段の概略構成図であり、（Ａ）はその断面図、（Ｂ）は操作レバーとロッドの結合機構部を示す要部拡大斜視図である。
【図８】図８は実施形態３の高さ可変手段の概略構造図であり、（Ａ）は第２部位を第１部位よりも高くした状態を示し、（Ｂ）は第１部位を第２部位よりも高くした状態を示す。
【図９】図９は実施形態４の高さ可変手段の概略構造図である。
【図１０】図１０は実施形態４の高さ可変手段を実際に自動車に車載したときの構造図である。
【図１１】図１１は図１０の断面を示し、（Ａ）は第２部位を第１部位よりも高くした状態を示し、（Ｂ）は第１部位を第２部位よりも高くした状態を示す。
【図１２】図１２はエア供給部をドア開口下部に設けた例を示す図である。
【図１３】図１３は図１２のエア供給部の断面を示し、（Ａ）はエア供給部の蛇腹部が開いた状態のとき、（Ｂ）はエア供給部の蛇腹部が閉じた状態を示す。
【符号の説明】
【００６１】
１…荷物室
２…ラゲッジボード
２ａ…床面
３…シート部材（第２部位）
４…スリット溝
５…滑り止め部材（第１部位）
６…補強プレート
７…ゴミ侵入防止部材
８…ロッド
９…偏芯カム
１１…滑り止め部材引き戻しバネ（バネ機構）
１２…ロッド引き戻しバネ（バネ機構）
１３…荷室ドア
１５…操作レバー
２４…エア供給部
２５…エア供給ライン
２６…圧力調整バルブ（リリーフバルブ）
２７…ボディ
【図１】
0005315724.tif 000002
【図２】
0005315724.tif 000003
【図３】
0005315724.tif 000004
【図４】
0005315724.tif 000005
【図５】
0005315724.tif 000006
【図６】
0005315724.tif 000007
【図７】
0005315724.tif 000008
【図８】
0005315724.tif 000009
【図９】
0005315724.tif 000010
【図１０】
0005315724.tif 000011
【図１１】
0005315724.tif 000012
【図１２】
0005315724.tif 000013
【図１３】
0005315724.tif 000014